(57)【特許請求の範囲】
【請求項１】
複数の支柱間に展張される繊維ネットにおいて、細かい網目に形成される細目部と、前記細目部よりも粗い網目に形成される粗目部とを備え、その粗目部が少なくとも２箇所以上に点在して配設されると共に縦横方向へ格子状に点在して配設されていることを特徴とする繊維ネット。
【請求項２】
前記粗目部の網目は、横長の略矩形状に形成されていることを特徴とする請求項１記載の繊維ネット。
【請求項３】
前記粗目部は、横長手方向へ略等間隔で点在して配設されていることを特徴とする請求項２記載の繊維ネット。
【請求項４】
前記細目部および粗目部の網目は、略矩形状に形成されると共に互いに略平行に配設されていることを特徴とする請求項１から３のいずれかに記載の繊維ネット。
【請求項５】
網目が前記細目部よりも粗く形成され、かつ、前記粗目部よりも細かく形成される中目部を備え、その中目部の網目は、略矩形状に形成されると共に前記細目部および粗目部の網目と略平行に配設されていることを特徴とする請求項４記載の繊維ネット。
【請求項６】
前記粗目部が全体に占める面積割合は、略１０％〜略５０％とされていることを特徴とする請求項１から５のいずれかに記載の繊維ネット。
【発明の詳細な説明】
【０００１】
【発明の属する技術分野】
本発明は、繊維ネットに関し、特に、高い遮蔽性を確保しつつ風圧による影響を低減することができる繊維ネットに関するものである。
【０００２】
【従来の技術】
近年、鹿などの野生動物によって農作物や森林の新芽が食い荒らされる獣害が問題となっている。そのため、農耕地や森林の一定領域を囲むように侵入防止柵を立設し、鹿などの野生動物の侵入を防止することが行われている。侵入防止柵は、侵入を防止する境界に沿って多数の支柱を設け、その支柱間に金網や繊維ネットなどの網状体を展張したものである。侵入防止柵の送延長距離は数キロ〜数十キロに及ぶこともあり、網状体には金網と比較してコストが安価であるとともに展張が容易であり、更に、耐候性にも優れる繊維ネットが一般的に使用されている。
【０００３】
【発明が解決しようとする課題】
しかしながら、侵入防止柵に遮蔽性の低い（網目の粗い）繊維ネットを使用した場合には、その繊維ネットを視覚で捉えることができない鹿などの野生動物が衝突し、侵入防止柵が倒壊してしまう。その結果、倒壊部から鹿などの野生動物が侵入し、侵入防止柵として充分な効果が得られなくなってしまうという問題点があった。
【０００４】
そのため、侵入防止柵には、鹿などの野生動物の接近を防止する為に、遮蔽性を高く（網目を細かく）した繊維ネットが使用されている。しかし、繊維ネットの遮蔽性を高くすると、風の影響を受けやすくなってしまう。その結果、風圧を支える支柱の負担が大きくなるので、支柱の大径化や下地の強化などの対策が必要となり、材料コストや施工コストが上昇してしまうという問題点があった。
【０００５】
本発明は、上述した問題点を解決するためになされたものであり、高い遮蔽性を確保しつつ風圧による影響を低減することができる繊維ネットを提供することを目的としている。
【０００６】
【課題を解決するための手段】
この目的を達成するために、請求項１記載の繊維ネットは、複数の支柱間に展張されるものであり、細かい網目に形成される細目部と、前記細目部よりも粗い網目に形成される粗目部とを備え、その粗目部が少なくとも２箇所以上に点在して配設されると共に縦横方向へ格子状に点在して配設されている。
【０００７】
【０００８】
請求項２記載の繊維ネットは、請求項１記載の繊維ネットにおいて、前記粗目部の網目は、横長の略矩形状に形成されている。
【０００９】
請求項３記載の繊維ネットは、請求項２記載の繊維ネットにおいて、前記粗目部は、横長手方向へ略等間隔で点在して配設されている。
【００１０】
請求項４記載の繊維ネットは、請求項１から３のいずれかに記載の繊維ネットにおいて、前記細目部および粗目部の網目は、略矩形状に形成されると共に互いに略平行に配設されている。
【００１１】
請求項５記載の繊維ネットは、請求項４記載の繊維ネットにおいて、網目が前記細目部よりも粗く形成され、かつ、前記粗目部よりも細かく形成される中目部を備え、その中目部の網目は、略矩形状に形成されると共に前記細目部および粗目部の網目と略平行に配設されている。
【００１２】
請求項６記載の繊維ネットは、請求項１から５のいずれかに記載の繊維ネットにおいて、前記粗目部が全体に占める面積割合は、略１０％〜略５０％とされている。
【００１３】
【発明の実施の形態】
以下、本発明の好ましい実施例について、添付図面を参照して説明する。図１は、本発明の一実施例である繊維ネット１の平面図である。なお、図１では、繊維ネット１の一部を省略して図示している。まず、図１を参照して繊維ネット１の構成について説明する。
【００１４】
繊維ネット１は、ポリエチレン等の合成繊維を使用して編網されたネットであり、例えば、農耕地や森林などに複数立設される支柱１１間へ展張され鹿などの野生動物の侵入を防止する侵入防止柵１０として使用されるものである（図２参照）。その繊維ネット１は、例えば、幅（図１の上下方向寸法）１ｍに対して長さ（図１の左右方向寸法）５０ｍといった長尺物であり、それぞれが異なる大きさの網目に編網される細目部２、中目部３、及び、粗目部４を備えている。
【００１５】
細目部２は、繊維ネット１の遮蔽性に寄与する部位であり、他の部位と比較して最も細かい網目に形成されている。鹿などの野生動物の侵入防止に関しては、侵入防止柵１０に遮蔽性の高いネットを使用することが効果的であることが知られており、この細目部２の網目を細かく形成したり、細目部２が繊維ネット１に占める面積割合を大きくすることによって鹿などの野生動物を近づきにくくすることができる。
【００１６】
細目部２は、所定幅（図１の上下方向幅）を有しつつ繊維ネット１の長さ方向（図１の左右方向）へ延設される帯状に編網されており、細目部２の網目は略矩形状に形成されている。また、その網目の縦横の有効開口は略１ｍｍ〜略４ｍｍの大きさとされている。有効開口の大きさを略１ｍｍ以下とした場合には、遮蔽性は向上するがコストの上昇を招くと共に風圧の影響を受けやすくなり好ましくない。また、有効開口の大きさを略４ｍｍ以上とした場合には、有効な遮蔽性を得ることが困難となる。
【００１７】
粗目部４は、繊維ネット１の風抜け性に寄与する部位であり、他の部位と比較して最も粗い網目に形成されている。その粗目部４の網目を大きく形成したり、粗目部４が繊維ネット１に占める面積割合を大きくすることによって、繊維ネット１は風抜け性が向上し風圧の影響を低減することができる。
【００１８】
粗目部４の網目は、繊維ネット１の編網を容易とする為に上記した細目部２と略平行な略矩形状に形成され、その網目の有効開口は横長に形成されている。粗目部４の網目内には、後述するように、支柱１１が縦方向（図１の上下方向）へ挿通される（図２参照）。その支柱１１は、強度的に丈夫な（大径の）ものを使用する必要があり、その為には、粗目部４の網目が大きく開口していることが望ましい。しかし、粗目部４の網目の開口面積を大きくしすぎると、上記した細目部２が繊維ネット１に占める面積割合を減少させてしまい繊維ネット１全体としての遮蔽性が損なわれてしまう。そこで、粗目部４の網目を横長に開口させることにより、最低限の開口面積で大径の支柱１１を挿通することができ、かつ、繊維ネット１全体の遮蔽性が損なわれることを防止することができるのである。
【００１９】
粗目部４は、図１に示すように、細目部２または後述する中目部３と縦横方向へ交互に配設されている。即ち、粗目部４は、繊維ネット１上に点在した（散らばった）状態で配設されている。そのため、粗目部４の網目は見かけの大きさが視覚的に軽減され、風抜け性を確保しつつ繊維ネット１全体としての遮蔽性が損なわれることを防止することができるのである。
【００２０】
また、粗目部４の網目は、横方向（図１の左右方向）の有効開口が略３０ｍｍ〜略１００ｍｍとされ、縦方向（図１の上下方向）の有効開口が略３ｍｍ〜略２５ｍｍとされている。そのため、粗目部４の網目内へは、直径が略２０ｍｍ〜略６５ｍｍといった充分に大きな径の支柱１１を挿通することができる。よって、支柱１１を鋼管などにより構成した場合だけでなく、支柱１１を木材などにより構成した場合でも、充分な強度を有した侵入防止柵１０を設置することができるのである（図２参照）。
【００２１】
なお、粗目部４が繊維ネット１全体に占める面積割合は、略１０％〜略５０％の範囲に設定される。細目部２および粗目部４の網目の大きさが上記した範囲にあり、粗目部４の面積割合が略１０％以下である場合には、風抜け性が悪化し風圧の影響が大きくなり好ましくない。一方、粗目部４の面積割合が略５０％以上である場合には、風圧の影響は低減するが有効な遮蔽性を得ることができなくなる。
【００２２】
中目部３は、繊維ネット１の長さ方向（図１の左右方向）へ向かって上記した粗目部４と交互に配設されつつ上記した各細目部２を連結する部位であり、中目部３の網目は、細目部２および粗目部４の網目と略平行な略矩形状に形成されている。その中目部３の網目は、横方向（図１の左右方向）の大きさが細目部２の網目の大きさと等しくされるとともに縦方向（図１の上下方向）の大きさが粗目部４の網目の大きさと等しくされており、その結果、縦長の形状に形成されている。このように、中目部３の網目を縦長の形状とすることにより、中目部３の網目へ横方向に挿入する糸を省略することができるので、繊維ネット１は、その省略分だけ材料コストを低減することができ、また、編網が容易になることにより製造コストを低減することができるのである。
【００２３】
また、中目部３および粗目部４は、繊維ネット１の長さ方向（図１の左右方向）へ等間隔に配設されている。よって、中目部３（或いは、粗目部４）の配設個数を計数することにより、繊維ネット１の長さを知ることができるのである。例えば、中目部３および粗目部４が配設間隔Ｌ（Ｌ＝１００ｍｍ）で等間隔に配設される繊維ネット１を長さ５ｍで切断したい場合には、中目部３（或いは、粗目部４）の配設個数が５０個目の位置で切断すれば良いのである。
【００２４】
なお、繊維ネット１を構成する糸の材質としては、ポリエチレン、ポリプロピレン、ポリアミド、ポリエステル、アラミド、ナイロン、ビニロン等の合成繊維を使用することが望ましい。侵入防止柵１０は環境条件が厳しい野外で長期にわたり使用されるため、本実施例の繊維ネット１では、耐酸性、耐アルカリ性、耐腐食性等の耐候性に優れており、しかも軽量なポリエチレンが使用されている。しかし、ポリエチレンに代えて、他の合成繊維を繊維ネット１の材質として使用しても良い。また、２種以上の合成繊維を混合して、繊維ネット１の材質としても良い。更に、繊維ネット１の強度を向上させるために、ステンレス鋼などの金属線や炭素繊維、又は、スーパー繊維などを上記の合成繊維と合糸して使用しても良い。
【００２５】
次に、繊維ネット１を使用した侵入防止柵１０、及び、その設置方法について説明する。図２は、侵入防止柵１０の正面図であり、繊維ネット１の一部を省略して図示すると共に地面を断面視している。侵入防止柵１０は、例えば、農耕地や森林などを囲むように設け、かかる農耕地や森林などへ鹿などの野生動物が侵入することを防止するためのものである。侵入防止柵１０は、主に、上記した繊維ネット１、支柱１１、及び、結束部材１２等から構成されている。
【００２６】
支柱１１は、上記した繊維ネット１を展張するために地中に立設される部材であり、本実施例における支柱１１には、耐食性に優れた亜鉛メッキ処理鋼管が使用されている。その鋼管の断面は中空でも中実でも良く、また、支柱１１は断面くの字状の板状鋼材でも良い。更に、支柱１１の材質は、鋼材に限らず、アルミやＦＲＰ、木材等であっても良い。
【００２７】
一方、結束部材１２は、支柱１１へ展張された繊維ネット１を固定するための部材であり、ナイロン等の紐が使用される。また、結束部材１２には、鉄やステンレス等からなる金属製の針金、ゴム材料等の弾性部材からなるゴムバンド、或いは、プラスチック等の樹脂材料からなるプラスチックバンド等を使用しても良い。
【００２８】
次に、侵入防止柵１０の設置方法について説明する。まず、侵入を防止する境界に沿って第１の支柱１１（図２左側）を地中に貫入し立設する。そして、その第１の支柱１１へ繊維ネット１を装着する。この場合、繊維ネット１へは、図２に示すように、その粗目部４の各網目内へ第１の支柱１１が交互に挿通されており、繊維ネット１の上端部（図２上側）及び下端部（図２下側）が結束部材１２によって支柱１１へ結束される。
【００２９】
このように、侵入防止柵１０は、繊維ネット１がその高さ方向（図１の上下方向）全域で支柱１１に拘束されることとなるので、風の影響により繊維ネット１に網なりが生じたり繊維ネット１がバタバタと振動してしまうことを防止することができる。そのため、繊維ネット１と支柱１１との結束箇所は、繊維ネット１の上下端部２箇所を結束すれば充分である。その結果、結束作業が簡便となり繊維ネット１を支柱へ容易に装着することができるので、侵入防止柵１０の設置に要する施工コストを低減することができるのである。
【００３０】
第１の支柱１１を立設した後は、その第１の支柱１１（図２の左側）に装着された繊維ネット１を第２の支柱１１（図２の右側）へ展張する。第２の支柱１１を、図２に示すように、予め繊維ネット１の粗目部４の各網目内に交互に挿通しておき、その第２の支柱１１を地中へ貫入し立設することにより、第１の支柱１１と第２の支柱１１との間に繊維ネット１が展張されるのである。
【００３１】
ここで、繊維ネット１は、上記したように、粗目部４が繊維ネット１の長さ方向（図２の左右方向）へ等間隔に配設されている。よって、各支柱１１を地中へ立設する場合には、かかる粗目部４の配設個数を計数することにより各支柱１１間の間隔を容易に設定することができる。例えば、各支柱１１を５ｍ間隔で立設したい場合には、粗目部４の配設間隔が５０個となる位置へ、各支柱１１を３ｍ間隔で立設したい場合には粗目部４の配設間隔が３０個となる位置へ支柱１１を立設すれば良いのである（配設間隔Ｌ＝１００ｍｍとする。図１参照）。
【００３２】
第１，第２の支柱１１を立設した後は、同様に、第３の支柱１１（図示せず）を繊維ネット１の粗目部４の各網目内に交互に挿通し、その第３の支柱１１を地中へ貫入し立設する。そして、結束部材１２により繊維ネット１と第３の支柱１１とを結束する。この作業を繰り返すことにより、侵入を防止する境界に沿って侵入防止柵１０を設置することができるのである。
【００３３】
この侵入防止柵１０は、上記したように、各支柱１１間に展張される繊維ネット１が高い遮蔽性を備えている。そのため、鹿などの野生動物が侵入防止柵１０へ近づきにくくなり、その鹿などの野生動物が農耕地等へ侵入することを防止することができるのである。
【００３４】
また、侵入防止柵１０の繊維ネット１は、粗い網目に形成される粗目部４によって風抜き性が確保されている。そのため、風圧の影響を低減することができるので、支柱１１の大径化や支柱１１を立設する下地の強化などの対策が不要となる。その結果、侵入防止柵１０の材料コストや施工コストを低減することができるのである。
【００３５】
ここで、侵入防止柵１０を設置する場合には、その設置場所における環境条件に応じて使用する繊維ネット１の特性を適宜変更する。即ち、繊維ネット１の網目の有効開口の大きさを上記した範囲で調整し、その繊維ネット１全体に占める細目部２および粗目部４の面積割合を適宜変更するのである。例えば、侵入防止柵１０を風圧が強い場所に設置する場合には、細目部２に対して粗目部４の面積割合を大きくすることにより、風抜け性が向上し風圧の影響を低減することができる。また、鹿などの野生動物により甚大な被害を受けている場合には、細目部２の面積割合を粗目部４に対して大きくすることにより、遮蔽性を高め鹿等の侵入を確実に防止することができるのである。
【００３６】
このように、本実施例の繊維ネット１によれば、細かい網目の細目部２を設けるとともに粗い網目の粗目部４を点在した状態で設けたので、繊維ネット１全体として高い遮蔽性を確保しつつ風圧の影響を低減することができ、その結果、侵入防止柵１０の材料コストや施工コストを低減することができるのである。
【００３７】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００３８】
例えば、本実施例では、繊維ネット１が鹿などの野生動物の侵入を防止する侵入防止柵１０に使用される場合を説明したが、繊維ネット１を他の用途に適用しても良い。一例としては、目隠しを目的として海岸に設置される遮蔽用の柵に繊維ネット１を使用することが挙げられる。一般に、海岸は風が強く、また、下地が砂であり脆弱である。そのため、支柱を深く貫入したり下地を強化する等の対策が必要である。しかし、本実施例の繊維ネット１は、遮蔽性を確保しつつ風圧の影響も低減することができるので、かかる繊維ネット１を使用することにより、下地の強化等を省略できる分だけ施工コストが低く、遮蔽性の高い柵を得ることができるのである。
【００３９】
また、本実施例では、細目部２、中目部３、及び、粗目部４の各網目が略矩形状に形成される場合を説明したが、その各網目の形状は、菱形、亀甲形等に形成されていても良く、細目部２、中目部３、及び、粗目部４がそれぞれ異なる網目形状に形成されていても良い。また、本実施例における中目部３の網目は、横方向への糸の挿入が省略され縦長の形状とされているが、かかる中目部３の網目の横方向へ糸を挿入し編網することは当然に可能である。また、繊維ネット１は、ラッセル網に編網されたものが好ましいが、無結節網、有結節網に編網されたものであっても良い。
【００４０】
また、本実施例における粗目部４は、対応する位置の網目を大きく編網することにより形成されたが、繊維ネット１全体を細かい網目の細目部２として編網し、その後、繊維ネット１の所定箇所を窓状（スリット状）に切断開口することにより粗目部４を形成しても良い。
【００４１】
【発明の効果】
請求項１記載の繊維ネットによれば、繊維ネットは、細目部が細かい網目に形成されているので高い遮蔽性を得ることができる。一方、繊維ネットの粗目部は粗い網目に形成されているので、繊維ネットは、良好な風抜け性を得ることができる。更に、その粗目部は複数箇所に点在して配設されているので、繊維ネット全体としての遮蔽性が損なわれることを抑制することができる。よって、繊維ネット全体として高い遮蔽性を確保しつつ風圧の影響を低減することができるという効果がある。その結果、支柱の大径化や支柱が立設される下地の強化などの対策が不要となり、材料コスト及び施工コストを低減することができるのである。
【００４２】
また、粗目部は、縦横方向へ格子状に点在して配設されているので、支柱を一の列の各粗目部の網目内へ交互に挿通することができる。よって、繊維ネットを各支柱間へ容易に展張することができると共に繊維ネットを支柱へ強固に展張することができるという効果がある。
【００４３】
請求項２記載の繊維ネットによれば、請求項１記載の繊維ネットの奏する効果に加え、粗目部の網目は横長の略矩形状に形成されている。よって、繊維ネット全体の遮蔽性を損なわない最低限の網目面積でより大きな径の支柱を挿通することができるという効果がある。
【００４４】
請求項３記載の繊維ネットによれば、請求項２記載の繊維ネットの奏する効果に加え、粗目部は、その網目の横長手方向へ略等間隔で点在して配設されている。よって、かかる粗目部の数を計数することにより、繊維ネットの長さを知ることができるという効果がある。従って、その粗目部の数から、例えば、繊維ネットを所定長さに切断したり、支柱を所定間隔に設置したりすることができる。
【００４５】
請求項４記載の繊維ネットによれば、請求項１から３のいずれかに記載の繊維ネットの奏する効果に加え、細目部および粗目部の網目は、略矩形状に形成されると共に互いに略平行に配設されているので、繊維ネットを容易に編網することができるという効果がある。その結果、繊維ネットの製造コストを低減することができる。
【００４６】
請求項５記載の繊維ネットによれば、請求項４記載の繊維ネットの奏する効果に加え、網目が細目部および粗目部の網目と略平行な略矩形状に形成される中目部を備えている。この中目部の網目は、細目部の網目よりも粗く、かつ、粗目部の網目よりも細かく形成されているので、繊維ネットを容易に編網することができるという効果がある。その結果、繊維ネットの製造コストを低減することができる。
【００４７】
請求項６記載の繊維ネットによれば、請求項１から５のいずれかに記載の繊維ネットの奏する効果に加え、粗目部が全体に占める面積割合は、略１０％〜略５０％とされているので、遮蔽性を確保しつつ風圧の影響を低減することができるという効果がある。
【図面の簡単な説明】
【図１】  本発明の一実施例である繊維ネットの平面図である。
【図２】  侵入防止柵の正面図である。
【符号の説明】
１    繊維ネット
２    細目部
３    中目部
４    粗目部
１０  侵入防止柵
１１  支柱
１２  結束部材
【図１】
0003850677.tif 000002
【図２】
0003850677.tif 000003